(57)【要約】補強支持体（１００）を備えた手術用手洗い器具がここに開示される。好適な実施形態によれば、手洗い器具はスポンジが連結される支持体（１００）を含む。支持体は液体用の２個の容器（１３０，１４０）を形成する。各容器は密封可能な開口（１３５，１４５）と、各容器を補強するために各容器を横切るリブ部材（２００）を有する。各リブ部材（２００）は空所（２０２）と、空所（２０２）から延出するテーパ部（３１８）とを含む。空所（２０２）は成形工具が空所（２０２）を形成した後に成形工具を引き込めるためにカム作用を生み出す。
2006526459.tif 000002
【特許請求の範囲】
【請求項１】
スポンジが連結される支持体を含む手術用手洗い器具であって、該支持体は少なくとも一個の液体用容器を形成し、該容器は密封可能な開口と、該容器を補強するために該容器を横切るように延出するリブ部材とを有することを特徴とする手術用手洗い器具。
【請求項２】
更なる容器を更に含み、該容器は密封可能な開口と、該容器を補強するために該容器を横切るように延出するリブ部材とを有することを特徴とする請求項１に記載の手術用手洗い器具。
【請求項３】
前記又は各リブ部材は空所を含むことを特徴とする請求項１又は２に記載の手術用手洗い器具。
【請求項４】
前記又は各リブ部材は前記空所から延出するテーパ部を含むことを特徴とする請求項３に記載の手術用手洗い器具。
【請求項５】
前記テーパ部は少なくとも２０度のテーパ角を有することを特徴とする請求項４に記載の手術用手洗い器具。
【請求項６】
前記又は各リブ部材は射出成形工具解放部を含むことを特徴とする請求項１乃至３のいずれか一項に記載の手術用手洗い器具。
【請求項７】
前記解放部にはテーパが付けられていることを特徴とする請求項６に記載の手術用手洗い器具。
【請求項８】
成形工具がリブ部材に空所を形成した後に該成形工具を引き抜く方法であって、該リブ部材は該空所から延出するテーパ部を有し、
前記成形工具及びリブ部材のテーパ部間に引き起こされるカム作用によって、該成形工具を前記空所から取り出す工程を含む
ことを特徴とする方法。
【請求項９】
前記成形工具は２個のカム部材を含むことを特徴とする請求項８に記載の方法。
【請求項１０】
前記カム作用により一方のカム部材が前記空所から取り出されるように、他方のカム部材を引き込める工程を更に含むことを特徴とする請求項９に記載の方法。
【請求項１１】
前記リブ部材は射出成形を使用して形成されることを特徴とする請求項８乃至１０のいずれか一項に記載の方法。
【請求項１２】
前記テーパ部は少なくとも２０度のテーパ角を有することを特徴とする請求項８乃至１１のいずれか一項に記載の方法。
【請求項１３】
請求項８乃至１２のいずれか一項に記載の方法を実行するための成形工具。
【請求項１４】
プラスチック器内に形成されるリブ部材であって、該リブ部材は空所と、
射出成形工具解放部とを含む
ことを特徴とするリブ部材。
【請求項１５】
前記解放部は前記空所から延出することを特徴とする請求項１４に記載のリブ部材。
【請求項１６】
前記解放部にはテーパが付けられていることを特徴とする請求項１４又は１５に記載のリブ部材。
【請求項１７】
前記テーパ部は少なくとも２０度のテーパ角を有することを特徴とする請求項１６に記載のリブ部材。
【請求項１８】
請求項１４乃至１７のいずれか一項に記載のリブ部材を有する成形プラスチック物。
【発明の詳細な説明】
【技術分野】
【０００１】
本発明は手術用手洗い器具に関する。本発明は本発明と同じ出願人によるＰＣＴ特許出願ＰＣＴ／ＳＧ００／０００６１に記載されている手術用手洗い器具の改良である。
【背景技術】
【０００２】
上記ＰＣＴ出願の実施形態には支持体を含む手術用手洗い器具が記載されており、その支持体が２個の液体用容器を形成した状態で、支持体にはスポンジが連結されている。各容器は密封可能な開口を含み、開口は好適には再密封可能な小出し口を有する弾性部材により密封される。容器は支持体の一部として形成されると共に、支持体全体はプラスチックから射出成形される。
【０００３】
使用に際して、外科医は一般的には液体石鹸が充填されている手術用手洗い器具を片方の手で把持し、石鹸を反対の手へ取り出して、スポンジを使用して手を洗う。しかしながら、把持動作によってプラスチック容器の形状が変形し、容器縁と弾性部材の間に間隙が形成されると共に、手洗い工程の間における容器の向きによっては、この間隙の形成により液体が間隙から漏出してしまうことがある。
【発明の開示】
【発明が解決しようとする課題】
【０００４】
本発明の目的は、従来技術の欠点を軽減すると共に、一般の人々に有益な選択を提供する手術用手洗い器具を提供することにある。
【課題を解決するための手段】
【０００５】
本発明の第１態様において、スポンジが連結される支持体を含む手術用手洗い器具が提供される。支持体は少なくとも１個の液体用容器を形成する。容器は密封可能な開口と、容器を補強するために容器を横切るように延出するリブ部材とを有する。
【０００６】
本発明の説明される実施形態の効果としては、容器を横切るリブ部材を有することにより容器（及び支持体）を補強し、これにより開口を封鎖するために例えば弾性部材が使用された時には、手洗い容器が使用される時に弾性部材と開口の間に間隙が形成されるという問題を解消する。
【０００７】
好適には、手術用手洗い器具は更なる容器を更に含み、容器は密封可能な開口と、容器を補強するために容器を横切るように延出するリブ部材とを有する。いずれの場合でも、リブ部材は空所を備えてもよく、リブ部材は空所から延出するテーパ部を含む。或いは、リブ部材は好適にはテーパが付けられている射出成形工具解放部を備えてもよい。
【０００８】
好適には、テーパ部は少なくとも２０度のテーパ角を有する。
リブ部材にテーパ部を形成することにより、空所を形成するために使用され、且つ本発明の独立した第２態様を構成する成形工具の代替的な引き抜き方法が提供される。
【０００９】
本発明の第２態様によれば、空所から延出するテーパ部を有するリブ部材において成形工具が空所を形成した後に成形工具を引き抜く方法が提供される。本方法は、成形工具及びリブ部材のテーパ部間に引き起こされるカム作用により、成形工具を空所から取り出す工程を含む。
【００１０】
好適には、成形工具は２個のカム部材を含む。この場合、カム作用により一方のカム部
材が空所から取り出されるように、他方のカム部材が最初に引き込められる。
一般的には、リブ部材は射出成形を使用して形成される。
【００１１】
本発明はまた、上記引き抜き方法を実施するための成形工具に関し、リブ部材は空所と、射出成形工具解放部とを有する。
【発明を実施するための最良の形態】
【００１２】
本発明の一実施形態を添付の図面を参照しつつ一例として説明する。
図１はＰＣＴ出願ＰＣＴ／ＳＧ００／０００６１に記載されている第２実施形態と同様な手術用手洗い器具の前面図である。この第２実施形態の説明を（同じ構成については同じ符号を使用して）手短に説明すると、手術用手洗い器具は支持体１００を有する。支持体１００はスポンジ（ここでは図示なし）に連結される第１面と、ブラシ１８０に連結される第２面とを備える。支持体１００は２個の容器１３０，１４０を形成しており、各容器は密封可能な開口１３５，１４５を有する。好適には、開口１３５，１４５の各々を密封するために、弾性部材（図示なし）が使用される。
【００１３】
支持体１００を補強し、且つ開口１３５，１４５及び弾性部材の間に間隙を形成する支持体１００の変形作用を低減するために、各容器１３０，１４０の内部にはリブ部材２００が形成される。各リブ部材２００は２個の対向面を有し、それら対向面は対応する容器１３０，１４０の内壁に取り付けられることにより、支持体１００が補強される。各リブ部材００は射出成形工程の間にリブ部材２００を画定する成形工具を供給することにより形成されてもよい。
【００１４】
しかしながら、リブ部材２００の存在は更に（図１に示すように）容器１３０，１４０各々を仕切り、また各容器１３０，１４０内の２個の隔室間における液体の移動を容易にするために、図２に示すように空所２０２が好適にはリブ部材２００に形成される。図２は図１の手洗い器具の斜視図を示しており、リブ部材２００をより明確に示すために、ブラシ１８０の一部分が切り取られている。
【００１５】
しかしながら従来では、成形工具を使用してリブ部材２００にこのような空所２０２を形成するのは技術的に困難であった。なぜならば、空所２０２を形成した後に、成形工具を引き込めるための隙間がないからである。図３はこの問題点を例証するべく単純な例を示している。空所２０２を形成するためには、成形工程の前に空所２０２を画定する成形工具２０４が成形キャビティにインサートされると共に、成形工程が完了するまで所定位置に保持される。空所２０２が形成された時には、後に形成された空所２０２から延出するリブ部材２０２の端縁２０６によって成形工具の引き込みが制限されるので、成形工具２０４を成形部分から引き抜くことが困難である。
【００１６】
本発明では、射出成形を利用して、このような空所２０２を形成した後に成形工具を引き込める代替方法について以下に説明する。
本実施形態において、図２に示すように、各リブ部材２００は成形方法の後にその中に形成される２個の独立した空所２０２，２１０を有する。明白に理解される理由について以下に説明する。
【００１７】
成形技術が成形機器３００の部分断面図を示す図４及び図５に説明されている。開口１３５は図１及び図２を参照して支持体１００の向きを表す役割を果たす。成形機器３００は２個の成形工具３０２，３０４と、手洗い器具の支持体１００を形成するための対応する型半分（図示なし）とを含む。成形工具３０２，３０４は支持体１００の２個の容器１３０，１４０を夫々形成する２個のキャビティを画定するように使用される。各容器１３０，１４０の２個のリブ部材２００内における空所２０２，２１０の構造は、容器１３０
，１４０を画定するために使用される２個の成形工具３０２，３０４と同じである。成形工具３０２，３０４は相互にミラーイメージであり、一方のみについて説明する。
【００１８】
成形工具３０４はリブ部材２００及びそのリブ部材２００に形成される空所２０２，２１０を画定する２個のカム部材３０６，３０８と、カム部材３０６，３０８と共に容器１３０の内部形状及び容積を画定する型部材３１０，３１２，３１４とを含む。
【００１９】
第１カム部材３０６は第１架台３０７に取り付けられると共に、容器１３０に出入りするように摺動可能であり、また第１型部材３１０と摺接する第１側面を有する。第１カム部材３０６は成形工程の間に第２カム部材３０８の対応する係合面３０８ａと係合するために、第２側面上に係合面３０６ａを有する。湾曲面は図４に示すように、係合面３０６，３０８が相互に整列させられた時に２個のカム部材３０６，３０８間に空間３１６を形成するように、各係合面３０６ａ，３０８ａから延出する。第２カム部材３０８は一端において第２架台３０９にヒンジ接続されており、第２架台３０９は作動させられた時に第２カム部材３０８を手洗い器具から外へ引き込める。第２カム部材３０８は第２型部材３１２と共にリブ部材２００を形成すると共に、カム部材３０８は２個の空所２０２，２１０を形成するべく第２型部材３１２と接触する２個の面３０８ｂ，３０８ｃを含む。第２カム部材３０８はまた２個のテーパ溝を含む。テーパ面３１８を有するテーパ溝は、リブ部材２００において空所２０２，２１０から延出する傾斜部を画定する。
【００２０】
図４は射出成形が完了し且つ成形支持体１００が容易に取り出される段階を示す。
成形工具３０４を支持体１００から引き抜くために、型キャビティが分離させられると共に、第１カム部材３０６が最初に引き込められる。第１カム部材３０６の接触部３０６ａが空間３１６内にある時には、テーパ部３１８及び対応する第２カム部材３０８の溝の間のカム作用により、第２カム部材３０８が空所２０２，２１０からＸ方向（図５）に取り出され得るような凹部が供給される。これにより、型部材３１０，３１２，３１４及び第１カム部材３０６と共に、これらの部材が引き込められて支持体１００を図５に示すように型機器３００からＹ方向へ解放し得るように、第２カム部材３０８を解放する。
【００２１】
図５は第２カム部材３０８が空所２０２，２１０から取り出され、且つ第１カム部材３０６及び型部材３１０，３１２，３１４と共に引き込められた後の段階を示す。図示するように、他方の容器１３０を形成するために使用される成形工具３０２は、２個のテーパ部３１８のミラーイメージであるリブ部材の２個のテーパ部３１９を形成する。
【００２２】
従って、空所２０２，２１０から延出するテーパ部（又は３１９）の構造は、第２カム部材３０８の引き込めを容易にする空所２０２，２１０から第２カム部材３０８を取り出すべくカム作用を引き起こし、リブ部材２００の破損を低減する。このようにして、より簡単に且つより安価な方法で、１個以上の空所がリブ部材２００に形成される。
【００２３】
テーパ部３１８のテーパ又は傾斜角は用途に応じて、また第２カム部材３０８をテーパ部３１８から取り出すために必要なカム強度に応じて変化する。好適には、手洗い器具のリブ部材２００における２個の空所２０２，２１０の構造において、図６により明確に示すように、テーパ角は約２０度である。最適なカム作用のためには、角度は少なくとも２０度であるべきである。しかしながら、異なったカム強度を生み出す他の鋭角のテーパ角を使用してもよい。
【００２４】
好適には、２個の空所２０２，２１０は２個のテーパ部３１８が対応して存在するようにリブ部材２００に形成されるが、手洗い器具の機能上では１個の空所のみが必要とされる。２個のテーパ部３１８の存在は、第２カム部材３０８を空所２０２，２１０から引き込めるためにより大きなカム作用を生み出す。１個の空所が形成されるならば、次にカム
作用の強度を増大させるためにテーパ面の傾斜が増加させられてもよい。従って、テーパ面の傾斜が変化してもよい。
【００２５】
当然のことながら、リブ部材２００に空所２０２，２１０を形成した後に成形工具３０４を引き込める方法は手洗い器具に限定されない。一般的に本方法は、射出成形工具解放部を伴うリブ部材の形成を必要とするプラスチック物の成形後に使用され得る。
【００２６】
手術用手洗い器具の実施形態において、リブ部材２００により提供される補強支持体を伴い、液体の移動のためにリブ部材２００に空所２０２を形成する必要はない。各容器の夫々の隔室に液体を分配供給するために、容器を封入する各弾性部材に更なる小出し口が設けられてもよい。
【００２７】
本発明を完全に説明したので、当該技術分野に属する者であれば当然のことながら、請求されている範囲から逸脱することなく、本明細書には多くの変更がなされ得る。
【図面の簡単な説明】
【００２８】
【図１】２個の容器を形成すると共に各容器に形成されるリブ部材を含む支持体を備えた本発明の好適な実施形態に係る手術用手洗い器具を示す正面図。
【図２】リブ部材のより多くを現すために一部が切り取られている図１の手術用手洗い器具を示す斜視図。
【図３】成形工具を従来のように使用した空所の形成工程の簡単な一例を示す図。
【図４】図２の空所を形成するためにカム部材を有する成形機器を示す図。
【図５】カム部材が引き込み位置にある図４の成形機器を示す図。
【図６】図２の成形手洗い器具においてリブ部材のテーパ部のテーパ角を示す側断面図。
【図１】
2006526459.tif 000003
【図２】
2006526459.tif 000004
【図６】
2006526459.tif 000005
【図３】
2006526459.tif 000006
【図４】
2006526459.tif 000007
【図５】
2006526459.tif 000008
【国際調査報告】
2006526459.tif 000009
2006526459.tif 000010